(57)【要約】【課題】省電力モード時に停電等によって交流電力の供給が断たれた場合でも省電力モードを解除することなく、電力供給が再開された際に省電力モードを維持することが可能な通信装置を提供すること。【解決手段】電源回路と、省電力モードの解除を検出する検出手段と、モードを識別するモード識別手段と、電源回路の出力電圧を測定する測定手段と、電池と、電池の電圧を端子に供給するか否かを切り替える切替手段と、電源制御を行う制御手段と、を備える。モード識別手段は、端子電圧と第１閾値電圧とを比較し、端子電圧が第１閾値電圧以上であれば省電力モードであり、端子電圧が第１閾値電圧未満であれば通常動作モードであると識別する。制御手段は、測定手段の測定結果に基づいて交流電力の供給が断たれたことを検出した場合において、モード識別手段の識別結果が省電力モードである場合、電池の電圧を端子に供給するように切替手段を切り替える。【選択図】図２
2010239786.tif 000002
【特許請求の範囲】
【請求項１】
通常の電力を消費する通常動作モードと、前記通常動作モードよりも消費電力の少ない省電力モードとを備え、前記省電力モードにおいては装置の一部を除いて給電を停止することが可能な通信装置であって、
交流電力の供給を受けて、前記交流電力を直流電力に変換して出力する電源回路と、
ユーザによる前記省電力モードの解除を検出する検出手段と、
抵抗を介して前記電源回路の出力に接続され、前記検出手段を介して基準電位に接続される端子の端子電圧に基づいて、前記通常動作モードと前記省電力モードとのいずれのモードであるかを識別するモード識別手段と、
前記電源回路の出力電圧を測定する測定手段と、
所定の電圧を出力することが可能である電池と、
前記電池の電圧を前記端子に供給するか否かを切り替える切替手段と、
電源制御を行う制御手段と、
を備え、
前記モード識別手段は、前記端子電圧と第１閾値電圧とを比較し、前記端子電圧が前記第１閾値電圧以上であれば前記省電力モードであり、前記端子電圧が前記第１閾値電圧未満であれば前記通常動作モードであると識別し、
前記制御手段は、前記測定手段の測定結果に基づいて前記交流電力の供給が断たれたことを検出した場合において、前記モード識別手段の識別結果が前記省電力モードである場合、前記電池の電圧を前記端子に供給するように前記切替手段を切り替える
ことを特徴とする通信装置。
【請求項２】
前記制御手段は、前記測定手段の測定結果に基づいて前記交流電力の供給が再開されたことを検出した場合、前記切替手段の状態に基づいて前記交流電力の供給が断たれる直前のモードを判別し、判別されたモードに応じた制御を行う
ことを特徴とする請求項１に記載の通信装置。
【請求項３】
前記制御手段は、前記測定手段の測定結果に基づいて前記交流電力の供給が断たれたことを検出した場合において、前記モード識別手段の識別結果が前記省電力モードである場合、前記端子電圧と前記第１閾値電圧より高い第２閾値電圧とを比較し、前記端子電圧が前記第２閾値電圧未満になると前記電池の電圧を前記端子に供給するように前記切替手段を切り替える
ことを特徴とする請求項１または２に記載の通信装置。
【請求項４】
前記検出手段を、前記省電力モードにおいて給電を停止する領域に備える
ことを特徴とする請求項１乃至３のいずれかに記載の通信装置。
【発明の詳細な説明】
【技術分野】
【０００１】
本発明は、通信装置に関する。特に、消費電力を低減することが可能な通信装置に関する。
【背景技術】
【０００２】
従来、通常動作モードと省電力モードとを備えた装置がある。その装置が通常動作モードの待機状態からある時間放置された場合に省電力モードに移行して、不必要な機能に対しての電源供給を停止することで、消費電力を低減している。
【０００３】
このような装置では、省電力モード時に停電や電源コードの抜けなどによって装置への交流電力の供給が断たれた場合、省電力モードが解除されるという問題があった。下記の特許文献１には、搭載した不揮発メモリにモードを記憶しておくことによって、交流電力の供給が再開された際に元のモードに復帰する構成が開示されている。
【先行技術文献】
【特許文献】
【０００４】
【特許文献１】特開２００８−１８７８７１号公報
【発明の概要】
【発明が解決しようとする課題】
【０００５】
ところで、電源電圧にプルアップされた端子電圧がＬレベルになると省電力モードを解除する構成の場合、省電力モード時に停電等によって交流電力の供給が断たれると、電力供給の遮断に伴って端子電圧がＬレベルに降下する。その結果、省電力モードを解除する信号がＣＰＵに入力されてしまう。したがって、交流電力の供給が再開された際、省電力モードが維持されるべきであるにもかかわらず、通常動作モードになってしまう。
【０００６】
このような課題については、上記の特許文献１では触れられていない。
【０００７】
本発明は上記の課題に鑑み提案されたものである。本発明は、省電力モード時に停電等によって交流電力の供給が断たれた場合でも省電力モードを解除することなく、電力供給が再開された際に省電力モードを維持することが可能な通信装置を提供することを目的とする。
【課題を解決するための手段】
【０００８】
本発明の請求項１に係る通信装置は、通常の電力を消費する通常動作モードと、前記通常動作モードよりも消費電力の少ない省電力モードとを備え、前記省電力モードにおいては装置の一部を除いて給電を停止することが可能な通信装置であって、交流電力の供給を受けて、前記交流電力を直流電力に変換して出力する電源回路と、ユーザによる前記省電力モードの解除を検出する検出手段と、抵抗を介して前記電源回路の出力に接続され、前記検出手段を介して基準電位に接続される端子の端子電圧に基づいて、前記通常動作モードと前記省電力モードとのいずれのモードであるかを識別するモード識別手段と、前記電源回路の出力電圧を測定する測定手段と、所定の電圧を出力することが可能である電池と、前記電池の電圧を前記端子に供給するか否かを切り替える切替手段と、電源制御を行う制御手段と、を備え、前記モード識別手段は、前記端子電圧と第１閾値電圧とを比較し、前記端子電圧が前記第１閾値電圧以上であれば前記省電力モードであり、前記端子電圧が前記第１閾値電圧未満であれば前記通常動作モードであると識別し、前記制御手段は、前記測定手段の測定結果に基づいて前記交流電力の供給が断たれたことを検出した場合において、前記モード識別手段の識別結果が前記省電力モードである場合、前記電池の電圧を前記端子に供給するように前記切替手段を切り替えることを特徴とする。
【０００９】
本発明の請求項２に係る通信装置は、請求項１の通信装置において、前記制御手段は、前記測定手段の測定結果に基づいて前記交流電力の供給が再開されたことを検出した場合、前記切替手段の状態に基づいて前記交流電力の供給が断たれる直前のモードを判別し、判別されたモードに応じた制御を行うことを特徴とする。
【００１０】
本発明の請求項３に係る通信装置は、請求項１または２の通信装置において、前記制御手段は、前記測定手段の測定結果に基づいて前記交流電力の供給が断たれたことを検出した場合において、前記モード識別手段の識別結果が前記省電力モードである場合、前記端子電圧と前記第１閾値電圧より高い第２閾値電圧とを比較し、前記端子電圧が前記第２閾値電圧未満になると前記電池の電圧を前記端子に供給するように前記切替手段を切り替えることを特徴とする。
【００１１】
本発明の請求項４に係る通信装置は、請求項１乃至３のいずれかの通信装置において、前記検出手段を、前記省電力モードにおいて給電を停止する領域に備えることを特徴とする。
【発明の効果】
【００１２】
本発明の請求項１に係る通信装置によれば、省電力モード時に交流電力の供給が遮断された場合に、電源回路の出力電圧の降下に伴って端子電圧が降下するのを防ぎ、省電力モードを維持することができる。
【００１３】
本発明の請求項２に係る通信装置によれば、切替手段の状態に基づいて、交流電力の供給が断たれる直前のモードを判別することができる。これにより、省電力モード時に交流電力の供給が遮断され、その後、再開された場合、省電力モードで起動することができる。
【００１４】
本発明の請求項３に係る通信装置によれば、交流電力の供給が遮断された場合、電源回路の出力電力を最大限に利用することができ、電池に蓄えられた電力の消費を抑えることができる。
【００１５】
本発明の請求項４に係る通信装置によれば、省電力モードにおける消費電力をより低減させることが可能である。
【００１６】
本発明に係る通信装置によれば、省電力モード時に停電等によって交流電力の供給が断たれた場合でも省電力モードを解除することなく、電力供給が再開された際に省電力モードを維持することができる。
【図面の簡単な説明】
【００１７】
【図１】多機能機を示す外観斜視図である。
【図２】多機能機の電気構成について一例を示すブロック図である。
【図３】多機能機における交流電力の供給遮断／再開時処理のフローチャート（その１）である。
【図４】交流電力の供給が断たれた場合について、ＡＣ／ＤＣ電源の出力電圧、電池の出力電圧、それぞれの時間変化の一例を示す図である。
【図５】多機能機における交流電力の供給遮断／再開時処理のフローチャート（その２）である。
【図６】交流電力の供給が再開された場合について、ＡＣ／ＤＣ電源の出力電圧、電池の出力電圧、それぞれの時間変化の一例を示す図である。
【発明を実施するための形態】
【００１８】
図面を参照して実施例を説明する。図１は、本発明の通信装置の一例として、多機能機１００を示す外観斜視図である。多機能機１００は、電話機能、ＦＡＸ機能の他、プリンタ機能、コピー機能、スキャナ機能などを有する。また、多機能機１００は、通常の電力を消費する通常動作モードと、通常動作モードよりも消費電力の少ない省電力モードとを備え、省電力モードにおいては装置の一部を除いて給電を停止する。
【００１９】
図１に示されるように、多機能機１００の右前面には、インクカートリッジを挿入、交換する際に開閉されるカバー１０１が設けられる。また、多機能機１００の上面前方には、操作キー、タッチパネル機能付きＬＣＤを備えた操作パネル１０２が設けられる。ユーザは、操作パネル１０２上の操作キー、ＬＣＤを介して、様々な指示を多機能機１００に入力することができる。
【００２０】
次に、多機能機１００の電気構成について説明する。図２は、多機能機１００の電気構成について一例を示すブロック図である。
【００２１】
ＡＣ／ＤＣ電源１は、電源コードを介して交流電力の供給を受ける。ＡＣ／ＤＣ電源１は、供給された交流電力を直流電力に変換してメイン基板２に出力する。メイン基板２は、ＣＰＵ５を含む制御部１５を内蔵したＡＳＩＣ４を搭載する。制御部１５は、ＣＰＵ５の他、モード識別回路６、ＲＴＣ（Real Time Clock）７、記憶部８、電源制御部９、等を備え、多機能機１００におけるさまざまな制御や信号処理を行う。ＡＣ／ＤＣ電源１から出力される直流電力は、メイン基板２において、抵抗Ｒ３を介してＡＳＩＣ４に供給される。
【００２２】
また、メイン基板２は、所定の電圧を出力することが可能な電池１２を搭載する。ＣＰＵ５、モード識別回路６、ＲＴＣ７、記憶部８、電源制御部９、等を備えるブロックは、ＡＣ／ＤＣ電源１からの電力供給がない場合でも、電池１２から電圧の供給を受けて動作することができる。
【００２３】
また、メイン基板２は、電圧モニタ１４を搭載する。電圧モニタ１４は、電池１２の出力に接続されたＡ部の電圧と、ＡＣ／ＤＣ電源１の出力に接続されたＢ部の電圧とを測定する。電圧モニタ１４の測定結果は、電源制御部９に入力される。電源制御部９は、切替スイッチ１３のオンオフを制御する。電源制御部９は、通常オフにされている切替スイッチ１３をオンにすることで、電池１２の出力電圧をモード識別回路６の入力端子であるＣ部に供給することができる。
【００２４】
パネル基板３は、メイン基板２を介して電力の供給を受け、多機能機１００の操作パネル１０２（図１参照）とメイン基板２との間で各種信号の受け渡しを行う。パネル基板３上のパネルスイッチ１０は、操作パネル１０２上の操作キーと連動するスイッチであり、操作キーが押下されるとオンする。また、カバーセンサスイッチ１１は、カバー１０１の開閉に応じてオンオフするスイッチであり、カバー１０１が開けられるとオンする。
【００２５】
モード識別回路６は、Ｃ部の電圧を参照することができる。ここで、Ｃ部は、抵抗Ｒ１、Ｒ２を介してＡＣ／ＤＣ電源１の出力に接続され、パネルスイッチ１０、カバーセンサスイッチ１１を介してグランドに接続されている。モード識別回路６は、Ｃ部の電圧と記憶部８に記憶された閾値電圧Ｖｔｈ１（例えば、２．０Ｖ）とを比較し、Ｃ部の電圧が閾値電圧Ｖｔｈ１以上であれば多機能機１００が省電力モードであると識別し、Ｃ部の電圧が閾値電圧Ｖｔｈ１未満であれば多機能機１００が通常動作モードであると識別する。
【００２６】
多機能機１００が省電力モードである場合にユーザが操作キーを押下したり、カバー１０１を開けたりすると、パネルスイッチ１０、カバーセンサスイッチ１１がオンしてＣ部がグランドに接続される。これにより、Ｃ部の電圧が閾値電圧Ｖｔｈ１未満になる。したがって、モード識別回路６によって通常動作モードであると識別され、電源制御部９は省電力モードを解除し、通常動作モードへの移行処理を行う。このようにして、多機能機１００は、パネルスイッチ１０、カバーセンサスイッチ１１によって、ユーザによる省電力モードの解除を検出することができる。
【００２７】
また、多機能機１００は、メイン基板２上でＡＣ／ＤＣ電源１の出力にプルアップされたＣ部の電圧が、パネル基板３上のパネルスイッチ１０、カバーセンサスイッチ１１のオンに伴って閾値電圧Ｖｔｈ１未満になると省電力モードを解除する構成である。そのため、省電力モードにおいてはパネル基板３に電力を供給する必要がない。したがって、省電力モードにおける消費電力をより低減させることが可能である。また、論理を逆にしてＣ部の電圧が閾値電圧Ｖｔｈ１以上になると省電力モードを解除する構成の場合、省電力モードを解除するために閾値電圧Ｖｔｈ１以上の電圧をパネル基板３に供給するための配線が必要になる。これと比較して、多機能機１００は、配線を減らすことが可能であるため、配線のスリム化、低コスト化が図れる。
【００２８】
続いて、交流電力の供給遮断／再開時に多機能機１００が実行する処理について説明する。図３、図５は、多機能機１００における交流電力の供給遮断／再開時処理のフローチャートである。図３のＳ１１において、省電力モードに移行する条件が発生したか否かが判断される。ここで、省電力モードに移行する条件とは、例えば、操作パネル１０２からのユーザによる要求、一定時間無操作状態が続いたことに応じたソフトウェアによる要求、などである。省電力モード移行条件が発生した場合（Ｓ１１：ＹＥＳ）、電源制御部９は、Ｓ１２において省電力モード移行処理を行う。これにより、パネル基板３を始め、各部への給電が停止される。そして、電源制御部９は、Ｓ１３に進む。一方、省電力モード移行条件が発生していない場合（Ｓ１１：ＮＯ）、電源制御部９は、Ｓ１２の省電力モード移行処理を行うことなく、Ｓ１３に進む。
【００２９】
Ｓ１３において、電源制御部９は、電圧モニタ１４によってＢ部の電圧の測定を開始する。Ｓ１４において、電源制御部９は、Ｓ１３の測定開始から所定時間経過後の時刻ｔ１におけるＢ部の電圧Ｖ１を取得して、記憶部８に記憶する。Ｓ１５において、電源制御部９は、時刻ｔ１からさらに所定時間経過後の時刻ｔ２におけるＢ部の電圧Ｖ２を取得して、記憶部８に記憶する。そして、Ｓ１６において、電源制御部９は、Ｓ１４、Ｓ１５で取得した電圧Ｖ１、Ｖ２を比較し、Ｖ１＞Ｖ２であるか否かを判断する。
【００３０】
Ｓ１３〜Ｓ１６について、図４を参照して具体的に説明する。図４は、停電や電源コードの抜けなどによって交流電力の供給が断たれた場合について、ＡＣ／ＤＣ電源１の出力電圧、電池１２の出力電圧、それぞれの時間変化の一例を示す図である。交流電力の供給が継続している場合、電圧Ｖ１、Ｖ２に変化はない。しかし、例えば、時刻ｔ１と時刻ｔ２との間で交流電力の供給が断たれると、図４に示されるように、ＡＣ／ＤＣ電源１の出力電圧が降下し、Ｖ１＞Ｖ２となる。したがって、Ｖ１＞Ｖ２である場合（Ｓ１６：ＹＥＳ）、電源制御部９は、交流電力の供給が断たれたと判断してＳ１７以降の処理を行う。一方、Ｖ１＞Ｖ２でない場合（Ｓ１６：ＮＯ）、電源制御部９は、Ｓ１１に戻る。
【００３１】
Ｓ１７において、電源制御部９は、時刻ｔ２から所定時間経過後の時刻ｔ３におけるＣ部の電圧が閾値電圧Ｖｔｈ１以上であるか否か、すなわち、多機能機１００が省電力モードであるか否かを、モード識別回路６によって判断する。交流電力の供給が断たれると、ＡＣ／ＤＣ電源１の出力電圧の降下に伴ってＣ部の電圧も降下する。したがって、Ｃ部の電圧に基づいて多機能機１００のモードを識別することができなくなる。そのため、時刻ｔ３は、Ｃ部の電圧が降下して閾値電圧Ｖｔｈ１を下回らないように、時刻ｔ２の直後に設定される。
【００３２】
Ｃ部の電圧が閾値電圧Ｖｔｈ１未満、すなわち、モード識別回路６による識別結果が通常動作モードである場合（Ｓ１７：ＮＯ）、電源制御部９は、Ｓ１８〜Ｓ２２の処理を行うことなく、図５のＳ２３に進む。一方、Ｃ部の電圧が閾値電圧Ｖｔｈ１以上、すなわち、モード識別回路６による識別結果が省電力モードである場合（Ｓ１７：ＹＥＳ）、電源制御部９は、Ｓ１８において、モード識別回路６によってＣ部の電圧と記憶部８に記憶された閾値電圧Ｖｔｈ２とを比較し、Ｃ部の電圧が閾値電圧Ｖｔｈ２以上であるか否かを判断する。ここで、図４に示されるように、閾値電圧Ｖｔｈ２は閾値電圧Ｖｔｈ１より少し高く、例えば、閾値電圧Ｖｔｈ１＝２．０Ｖの場合、閾値電圧Ｖｔｈ２＝２．２Ｖ程度に設定される。Ｃ部の電圧が閾値電圧Ｖｔｈ２以上である場合（Ｓ１８：ＹＥＳ）、電源制御部９は、Ｓ１８に戻る。すなわち、Ｃ部の電圧が閾値電圧Ｖｔｈ２未満になるまで、電源制御部９は、Ｓ１８で待機する。
【００３３】
Ｃ部の電圧が閾値電圧Ｖｔｈ２未満になると（Ｓ１８：ＮＯ）、電源制御部９は、Ｓ１９において、Ａ部の電圧を電圧モニタ１４から取得し、Ａ部の電圧が閾値電圧Ｖｔｈ１以上であるか否かを判断する。Ａ部の電圧が閾値電圧Ｖｔｈ１以上である場合（Ｓ１９：ＹＥＳ）、電源制御部９は、Ｓ２０において、切替スイッチ１３をオンにして、電池１２の出力電圧をＣ部に供給する。
【００３４】
図４に示されるように、交流電力の供給が断たれた場合、電池１２が十分に充電されていれば、ＡＣ／ＤＣ電源１の出力電圧よりも電池１２の出力電圧の方が長時間維持される。そのため、電源制御部９は、Ａ部の電圧が閾値電圧Ｖｔｈ１以上である場合（Ｓ１９：ＹＥＳ）、Ｓ２０で切替スイッチ１３をオンにして電池１２の出力電圧をＣ部に供給することにより、ＡＣ／ＤＣ電源１の出力電圧の降下に伴ってＣ部の電圧が降下するのを防ぎ、省電力モードを維持することができる。一方、電池１２の充電が足りず、Ａ部の電圧が閾値電圧Ｖｔｈ１以上でない場合（Ｓ１９：ＮＯ）、切替スイッチ１３をオンにしても省電力モードを維持することができないため、電源制御部９は、Ｓ２０〜Ｓ２２の処理を行うことなく、図５のＳ２３に進む。
【００３５】
ここで、電源制御部９は、Ｓ１８でＣ部の電圧が閾値電圧Ｖｔｈ２未満になるまで待機した後、Ａ部の電圧が閾値電圧Ｖｔｈ１以上である場合（Ｓ１９：ＹＥＳ）、Ｓ２０で切替スイッチ１３をオンにする。一般に、ＡＣ／ＤＣ電源１の出力ラインには比較的容量の大きい電界コンデンサが接続される。そのため、Ｓ１８で待機することにより、電界コンデンサに電荷として蓄えられたＡＣ／ＤＣ電源１の出力電力を最大限に利用することができ、電池１２に蓄えられた電力の消費を抑えることができる。また、この場合、コンデンサに蓄えられた電荷を消費するため、外部から供給される電力の消費はない。
【００３６】
Ｓ２１において、電源制御部９は、Ｓ１９と同様に、Ａ部の電圧が閾値電圧Ｖｔｈ１以上であるか否かを判断する。Ａ部の電圧が閾値電圧Ｖｔｈ１以上でない場合（Ｓ２１：ＮＯ）、切替スイッチ１３をオンにしていてもＣ部の電圧を閾値電圧Ｖｔｈ１以上に保持することができないため、電源制御部９は、Ｓ２２において、切替スイッチ１３をオフにする。一方、Ａ部の電圧が閾値電圧Ｖｔｈ１以上である場合（Ｓ２１：ＹＥＳ）、電源制御部９は、Ｓ２２の処理を行うことなく、図５のＳ２３に進む。
【００３７】
図５のＳ２３において、電源制御部９は、電圧モニタ１４によってＢ部の電圧の測定を開始する。Ｓ２４において、電源制御部９は、Ｓ２３の測定開始から所定時間経過後の時刻ｔ４におけるＢ部の電圧Ｖ４を取得して、記憶部８に記憶する。Ｓ２５において、電源制御部９は、時刻ｔ４からさらに所定時間経過後の時刻ｔ５におけるＢ部の電圧Ｖ５を取得して、記憶部８に記憶する。そして、Ｓ２６において、電源制御部９は、Ｓ２４、Ｓ２５で取得した電圧Ｖ４、Ｖ５を比較し、Ｖ５＞Ｖ４であるか否かを判断する。
【００３８】
Ｓ２３〜Ｓ２６について、図６を参照して具体的に説明する。図６は、停電の復旧や電源コードの差し込みなどによって交流電力の供給が再開された場合について、ＡＣ／ＤＣ電源１の出力電圧、電池１２の出力電圧、それぞれの時間変化の一例を示す図である。交流電力の供給遮断が継続している場合、電圧Ｖ４、Ｖ５に変化はない。しかし、例えば、時刻ｔ４と時刻ｔ５との間で交流電力の供給が再開されると、図６に示されるように、ＡＣ／ＤＣ電源１の出力電圧が上昇し、Ｖ５＞Ｖ４となる。したがって、Ｖ５＞Ｖ４である場合（Ｓ２６：ＹＥＳ）、電源制御部９は、交流電力の供給が再開されたと判断してＳ２７以降の処理を行う。一方、Ｖ５＞Ｖ４でない場合（Ｓ２６：ＮＯ）、電源制御部９は、図３のＳ２１に戻る。
【００３９】
Ｓ２７において、電源制御部９は、切替スイッチ１３の状態を判別する。Ｓ２８において、電源制御部９は、Ｓ２７で判別した切替スイッチ１３の状態がオンであるか否かを判断する。切替スイッチ１３の状態がオンである場合（Ｓ２８：ＹＥＳ）、電源制御部９は、Ｓ２９において切替スイッチ１３をオフにして通常の状態に戻し、Ｓ３０において多機能機１００を省電力モードで立ち上げる処理を行う。一方、切替スイッチ１３の状態がオフである場合（Ｓ２８：ＮＯ）、電源制御部９は、Ｓ３１において多機能機１００を通常動作モードで立ち上げる処理を行う。
【００４０】
ここで、切替スイッチ１３の状態がオンであるということは、図３で説明したように、Ｃ部の電圧が閾値電圧Ｖｔｈ１以上であるということである。したがって、切替スイッチ１３の状態がオンである場合（Ｓ２８：ＹＥＳ）、電源制御部９は、交流電力の供給が断たれる直前のモードは省電力モードであると判断してＳ３０で省電力モードの処理を行う。逆に、切替スイッチ１３の状態がオフである場合（Ｓ２８：ＮＯ）、電源制御部９は、交流電力の供給が断たれる直前のモードは通常動作モードであると判断してＳ３１で通常動作モードの処理を行う。このようにして、電源制御部９は、切替スイッチ１３の状態に基づいて、交流電力の供給が断たれる直前のモードを判別することができる。その結果、交流電力の供給が断たれる直前に省電力モードであった場合、省電力モードを維持することができる。
【００４１】
ここで、特許請求の範囲との対応は以下の通りである。
多機能機１００は通信装置の一例、ＡＣ／ＤＣ電源１は電源回路の一例、パネルスイッチ１０、カバーセンサスイッチ１１はそれぞれ検出手段の一例、グランドは基準電位の一例、Ｃ部の電圧は端子電圧の一例、モード識別回路６はモード識別手段の一例、電圧モニタ１４は測定手段の一例、電池１２は電池の一例、切替スイッチ１３は切替手段の一例、電源制御部９は制御手段の一例、閾値電圧Ｖｔｈ１は第１閾値電圧の一例、Ｂ部の電圧は測定手段の測定結果の一例、閾値電圧Ｖｔｈ２は第２閾値電圧の一例、パネル基板３は省電力モードにおいて給電を停止する領域の一例である。
【００４２】
以上、詳細に説明した通り、本発明の前記実施例によれば、多機能機１００は、省電力モード時に停電等によって交流電力の供給が断たれた場合でも省電力モードを解除することなく、電力供給が再開された際に省電力モードを維持することができる。
【００４３】
なお、本発明は前記実施例に限定されるものではなく、本発明の趣旨を逸脱しない範囲内での種々の改良、変更が可能であることは言うまでもない。
例えば、前記実施例における各フローチャートは単なる一例であり、当該各フローチャートの処理と同等の結果を得ることできるものであれば、他のフローチャートによって処理を実現してもよい。
【符号の説明】
【００４４】
１          ＡＣ／ＤＣ電源
２          メイン基板
３          パネル基板
６          モード識別回路
９          電源制御部
１０        パネルスイッチ
１１        カバーセンサスイッチ
１２        電池
１３        切替スイッチ
１４        電圧モニタ
１００      多機能機
Ｒ１〜Ｒ３  抵抗
【図１】
2010239786.tif 000003
【図２】
2010239786.tif 000004
【図３】
2010239786.tif 000005
【図４】
2010239786.tif 000006
【図５】
2010239786.tif 000007
【図６】
2010239786.tif 000008